(57)【要約】【課題】対象となる人の今日現在（当該年）などにおける満年齢を正確且つ迅速に把握できる年齢早見表を提供する。【解決手段】複数の行（横）および列（縦）からなり且つ全体が矩形を呈し、最上行に沿って十二支（ａ）を順に配置し、かかる十干支（ａ）のうち、当該年（今日現在）の干支（ａ：寅）の下側には、０，１２，２４，３６，４８，…というようにｎ（０を含む整数）×１２の満年齢（ｂ）を１２年周期で列（縦）方向に沿って順に表示し、上記当該年の干支（ａ：寅）を除く他の干支（ａ）の下側には、上記当該年の干支（ａ：寅）に対してずれた数値の満年齢（ｂ′）をそれぞれの列（縦）方向に沿って順に表示すると共に、上記各満年齢(ｂ，ｂ′)の欄には、和年号（ｃ）および西暦（ｄ）の少なくとも一方が併記されている、年齢早見表（１）。【選択図】  図１
0003163230.tif 000002
【実用新案登録請求の範囲】
【請求項１】
複数の行（横）および列（縦）からなり且つ全体が矩形を呈し、
最上行に沿って十二支（ａ）を順に配置し、
上記十干支（ａ）のうち、当該年の干支（ａ）の下側には、０，１２，２４，３６，４８，…というようにｎ（０を含む整数）×１２の満年齢（ｂ）を１２年周期で列（縦）方向に沿って順に表示し、
上記当該年の干支（ａ）を除く他の干支（ａ）の下側には、当該年の干支（ａ）に対してずれた数値の満年齢（ｂ′）をそれぞれの列（縦）方向に沿って順に表示すると共に、
上記各満年齢(ｂ，ｂ′)の欄には、和年号（ｃ）および西暦（ｄ）の少なくとも一方が併記されている、
ことを特徴とする年齢早見表（１）。
【請求項２】
複数の行（横）および列（縦）からなり且つ全体が矩形を呈し、
左端または右端の列（縦）に沿って十二支（ａ）を順に配置し、
上記十二支（ａ）のうち、当該年の干支（ａ）の右側または左側には、０，１２，２４，３６，４８，…というようにｎ（０を含む整数）×１２の満年齢（ｂ）を１２年周期で行（横）方向に沿って順に表示し、
上記当該年の干支（ａ）を除く他の干支（ａ）の右側または左側には、当該年の干支（ａ）に対してずれた数値の満年齢（ｂ′）をそれぞれの行（横）方向に沿って順に表示すると共に、
上記各満年齢(ｂ，ｂ′)の欄には、和年号（ｃ）および西暦（ｄ）の少なくとも一方が併記されている、
ことを特徴とする年齢早見表（１′）。
【請求項３】
前記十二支（ａ）の欄ごとには、当該干支（ａ）を示す図柄（Ａ）が併記されている、
ことを特徴とする請求項１または２に記載の年齢早見表（１，１′）。
【考案の詳細な説明】
【技術分野】
【０００１】
本考案は、干支から本人などの正確な満年齢を、容易且つ迅速に把握できる年齢早見表に関する。
【背景技術】
【０００２】
例えば、ある人の満年齢を把握するため、横（行）方向に沿って和年号（明治、大正、昭和、平成）欄、これに対応する西暦欄、および年齢計算基準数値欄を配置し、且つかかる和年号欄、西暦欄、および年齢計算基準数値（満年齢）欄を縦（列）方向に沿って順次配列すると共に、昭和６３年（西暦１９８８年）を０とし、１年遡るごとに１を加算した数値をそれぞれの年に併記し、平成の年次の年齢は、当該年に平成の年数を加算して算出する旨の文言を付記した年齢早見表が提案されている（例えば。特許文献１参照）。
【０００３】
しかしながら、前記年齢早見表の場合、生誕した年の和年号または西暦年が分からないと使用することができない。また、満年齢を把握したいと欲する際の当該年が昭和６３年の場合だけは、昭和以前に出生した人について、前記年齢計算基準数（満年齢）値を把握できるが、平成以降の年において使用する際には、その年と昭和６３年とのずれた年数を計算する必要が生じる。更に、生誕年が平成以降である人の場合、常に計算を強いられる、という問題点があった。
【先行技術文献】
【特許文献】
【０００４】
【特許文献１】実用新案登録第２５８６９５４号公報  (第１〜３頁、図１)
【考案の概要】
【考案が解決しようとする課題】
【０００５】
本考案は、背景技術において説明した問題点を解決し、対象となる人の今日現在（当該年）などにおける満年齢を正確且つ迅速に把握できる年齢早見表を提供する、ことを課題とする。
【課題を解決するための手段】
【０００６】
本考案は、前記課題を解決するため、十二支のうち、本人が属する干支から今日現在（当該年）などにおける満年齢を一目で確認できるようにする、ことに着想して成されたものである。
即ち、本考案による第１の年齢早見表（１）（請求項１）は、複数の行（横）および列（縦）からなり且つ全体が矩形を呈し、最上行に沿って十二支（ａ）を順に配置し、前記十干支（ａ）のうち、当該年の干支（ａ）の下側には、０，１２，２４，３６，４８，…というようにｎ（０を含む整数）×１２の満年齢（ｂ）を１２年周期で列（縦）方向に沿って順に表示し、上記当該年の干支（ａ）を除く他の干支（ａ）の下側には、当該年の干支（ａ）に対してずれた数値の満年齢（ｂ′）をそれぞれの列（縦）方向に沿って順に表示すると共に、上記各満年齢（ｂ，ｂ′）の欄には、和年号（ｃ）および西暦（ｄ）の少なくとも一方が併記されている、ことを特徴とする。
【０００７】
また、本考案による第２の年齢早見表（１′）（請求項２）は、複数の行（横）および列（縦）からなり且つ全体が矩形を呈し、左端または右端の列（縦）に沿って十二支（ａ）を順に配置し、前記十二支（ａ）のうち、当該年の干支（ａ）の右側または左側には、０，１２，２４，３６，４８，…というようにｎ（０を含む整数）×１２の満年齢（ｂ）を１２年周期で行（横）方向に沿って順に表示し、上記当該年の干支（ａ）を除く他の干支（ａ）の右側または左側には、当該年の干支（ａ）に対してずれた数値の満年齢（ｂ′）をそれぞれの行（横）方向に沿って順に表示すると共に、上記各満年齢（ｂ，ｂ′）の欄には、和年号（ｃ）および西暦（ｄ）の少なくとも一方が併記されている、ことを特徴とする。
【０００８】
更に、本考案には、  前記十二支（ａ）の欄ごとには、当該干支（ａ）を示す図柄（Ａ）が併記されている、年齢早見表（１，１′）（請求項３）も含まれる。
【考案の効果】
【０００９】
前記請求項１，２の年齢早見表（１，１′）によれば、年齢を知りたい本人または他人の干支（ａ）を選択し、かかる干支（ａ）の列（縦）方向または行（横）方向に沿って追跡し、且つその人のおおよその年代（１０代、２０代、…、６０代、７０代、８０代）を更に考慮することによって、煩わしい計算を行うことなく、今日現在の正確な満年齢（ｂ，ｂ′）を容易且つ迅速に把握することができる。
また、過去または将来の年次における年齢を知りたい場合には、前記干支（ａ）および年代によって選択した年齢に対し、その年次と当該年との経過年数を加算あるいは減算するという簡単な計算ことによって、その年次における満年齢（ｂ，ｂ′）を正確且つ迅速に把握することが可能となる。
【００１０】
尚、前記年齢早見表における行は、横（水平）方向を指し、列は、縦（垂直）方向を指している。
また、前記年齢早見表における当該年は、今日現在の年である。そのため、前記第１および第２の年齢早見表は、毎年更新して作成することができる。
更に、前記年齢早見表における和年号は、明治、大正、昭和、平成の何れかの年号とｎ（整数）年数とからなる。
加えて、前記年齢早見表は、例えば、パーソナルコンピュータ（パソコン）の表計算ソフトあるいはワープソフトにおいて、前記複数の行列を形成する矩形の罫線からなる表と、かかる表内の各欄ごとに、前記干支、満年齢、和年号、西暦年とを発行する年次ごとに入力し、更に、次年度ごとに行（横）方向あるいは列（縦）方向に沿って、一欄ずつ移動させることにより、容易に製作できると共に、各年ごとの配列にしてプリントアウトすることができる。
【００１１】
また、前記請求項３の年齢早見表によれば、年齢を知りたい本人または他人の干支（ａ）を、干支ごとの図柄（キャラクター）によって、即座に選択できるので、更に前記年代を併慮することで、その人の満年齢（ｂ，ｂ′）を正確且つ迅速に把握することに寄与することができる。
尚、前記干支を示す図柄は、例えば、パソコンの表計算ソフトあるいはワープソフトなどに格納されている図形を使用しても良い。更に、上記図柄は、ある程度年配の人または若い世代ごとに馴染み易い図柄を選択するようにしても良い。
【図面の簡単な説明】
【００１２】
【図１】本考案による第１の年齢早見表を示す概略の平面図。
【図２】本考案による第２の年齢早見表を示す概略の平面図。
【考案を実施するための形態】
【００１３】
以下において、本考案を実施するための形態について説明する。
図１は、本考案による第１の年齢早見表１を示す概略の平面図である。
第１の年齢早見表１は、例えば、普通紙（ＰＰＣ用紙）や樹脂シートなどにプリントされたものであり、図１に示すように、横方向と縦方向とに沿った複数の行（横）と列（縦）とからなり、全体が平面視で長方形（矩形）を呈する表であり、最上行に沿って十二支（ａ）が横（行）方向に沿って順に配置されている。
上記十二支（ａ）のうち、当該年（今日現在）の平成２２年（西暦２０１０年）の干支（ａ）である寅（トラ）は、最上行の左端に位置し、最上行の右端に位置する卯（ウサギ）から左側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置されている。各干支（ａ）の欄には、当該干支（ａ）を示す図柄あるいはキャラクタ（Ａ）が併記されている。
【００１４】
図１に示すように、当該年の平成２２年（西暦２０１０年）の干支（ａ）である寅（トラ）の下側には、０，１２，２４，４８，…というように、ｎ（０を含む整数）×１２の満年齢（ｂ）が列（縦）方向に沿って順に表示されている。
上記当該年の干支（ａ）の寅（トラ）を除いた他の干支（ａ）の下側には、最左端の寅（トラ）の満年齢（ｂ）に対して、ずれた（加算または減算した）数値の満年齢（ｂ′）が、それぞれの列（縦）方向に沿って表示されている。
例えば、干支（ａ）が寅（トラ）よりも１年生まれが早い丑（ウシ）の場合、図１に示すように、その下側には、１，１３，２５，３７，４９，…というように、（ｎ（０を含む整数）×１２）＋１（加算）で示す満年齢（ｂ′）が、列（縦）方向に沿って１２年周期により表示される。一方、干支（ａ）が寅（トラ）よりも１年生まれが遅い卯（ウサギ）の場合、図１に示すように、その下側には、１１，２３，３５，４７，５９，…というように、（ｎ×１２）−１（減算）で示す満年齢（ｂ′）が、列（縦）方向に沿って１２年周期により表示される。
【００１５】
前記丑（ウシ）や卯（ウサギ）以外の干支（ａ）の場合も、当該年の干支（ａ）の寅（トラ）の満年齢（ｂ）に対して、生まれの早い年数を加算するか、あるいは、生まれ遅い年数を減算することにより、それぞれ満年齢（ｂ′）が１２年周期により表示される。
更に、図１に示すように、多数の満年齢（ｂ，ｂ′）ごとの欄には、それぞれ生誕年である和年号（ｃ）および西暦年（ｄ）の双方が併記されている。満年齢（ｂ，ｂ′）を知ることによって、生誕年の和年号（ｃ）と西暦（ｄ）とを同時に知ることができる。あるいは、かかる和年号（ｃ）および西暦（ｄ）の少なくとも一方の生誕年から、満年齢（ｂ，ｂ′）の正否を確認することも可能である。
尚、図１の左上隅に示すように、和年号（ｃ）のうち、年号の明治はＭ、大正はＴ、昭和はＳ、平成はＨと、それぞれ略した英大文字で表示されている。
【００１６】
以上のように年齢早見表１によれば、年齢を知りたい本人または他人の干支（ａ）を選択し、かかる干支（ａ）の列（縦）方向または行（横）方向に沿って追跡し、且つその人のおおよその年代（１０代、…、７０代、８０代）を更に考慮することによって、煩わしい計算を行うことなく、今日現在の満年齢（ｂ，ｂ′）を正確且つ迅速に把握することができる。
例えば、医師が年配の被診察者に年齢を問う場合、その人の干支（ａ）を聞き、且つ外見などからおおよその年代（６０代、７０代、８０代）を更に考慮することにより、その干支（ａ）の列（縦）から、正確な満年齢（ｂ，ｂ′）を迅速に推定ないし把握できると共に、当該満年齢（ｂ，ｂ′）の欄に併記された和年号（ｃ）および西暦（ｄ）から、その満年齢（ｂ，ｂ′）の正否を本人に確認することができる。従って、被診察者と対話をしながら、煩わしい計算をせずに、正確な満年齢（ｂ，ｂ′）を容易且つ迅速に把握することができる。
【００１７】
あるいは、例えば、役所などの行政の窓口に年齢早見表１を置いた場合、訪れた人が書類に自己の満年齢（ｂ，ｂ′）を記入する際に、自己の干支（ａ）の列（縦）から、迷うことなく正確な現在の満年齢（ｂ，ｂ′）を知ることができる。
更に、過去または将来の年次における年齢を知りたい場合には、前記干支（ａ）および年代によって選択した年齢に対し、その年次と当該年との経過年数を加算あるいは減算するという簡単な計算ことによって、その年次における満年齢（ｂ，ｂ′）を正確且つ迅速に把握することが可能となる。
例えば、ｎ年前の年次における満年齢（ｂ，ｂ′）を知りたい場合、自己の干支（ａ）の列（縦）のうち、今日現在に最も近い満年齢（ｂ，ｂ′）を探し、その数値（ｂ，ｂ′）からｎ年を減算することで、当該年次における満年齢（ｂ，ｂ′）を正確且つ迅速に把握できる。これにより、過去における人の記録も正確に行える。
尚、年齢早見表１において、最上行の十二支（ａ）は、当該年（今日現在）の平成２２年（西暦２０１０年）の干支（ａ）である寅（トラ）を、最上行の右端の位置とし、最上行の左端に位置する卯（ウサギ）から右側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置した形態としても良い。
【００１８】
図２は、本考案による第２の年齢早見表１′を示す概略の平面図である。
第２の年齢早見表１′は、前記同様のプリント紙などに印刷され、図２に示すように、横方向と縦方向とに沿って複数の行（横）および列（縦）からなり、全体が平面視で横長の長方形（矩形）を呈する表であり、最左列に沿って十二支（ａ）が縦（列）方向に沿って順に配置されている。
上記十二支（ａ）のうち、当該年（今日現在）の平成２２年（西暦２０１０年）の干支（ａ）である寅（トラ）は、最左列の最上段に位置し、最左列の最下段に位置する卯（ウサギ）から上側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置されている。尚、各干支（ａ）の欄には、当該干支（ａ）を示す前記同様の図柄（Ａ）を併記しても良い。
【００１９】
図２に示すように、当該年の平成２２年（西暦２０１０年）の干支（ａ）である寅（トラ）の右側には、０，１２，２４，４８，…というように、ｎ（０を含む整数）×１２の満年齢（ｂ）が行（横）方向に沿って順に表示されている。
上記当該年の干支（ａ）の寅（トラ）を除いた他の干支（ａ）ごとの右側には、最上段の寅（トラ）の満年齢（ｂ）に対して、ずれた（加算または減算した）数値の満年齢（ｂ′）が、行（横）方向に沿ってそれぞれ表示されている。
例えば、干支（ａ）が寅（トラ）よりも１年生まれが早い丑（ウシ）の場合、図２に示すように、その右側には、１，１３，２５，３７，４９，…というように、（ｎ（０を含む整数）×１２）＋１（加算）で示す満年齢（ｂ′）が、行（横）方向に沿って１２年周期により表示される。一方、干支（ａ）が寅（トラ）よりも１年生まれが遅い卯（ウサギ）の場合、図２に示すように、その右側には、１１，２３，３５，４７，５９，…というように、（ｎ×１２）−１（減算）で示す満年齢（ｂ′）が、行（横）方向に沿って１２年周期により表示される。
【００２０】
前記丑（ウシ）や卯（ウサギ）以外の干支（ａ）の場合も、当該年の干支（ａ）の寅（トラ）の満年齢（ｂ）に対して、生まれの早い年数を加算するか、あるいは、生まれ遅い年数を減算することにより、それぞれ満年齢（ｂ′）が１２年周期により表示される。
更に、図２に示すように、多数の満年齢（ｂ，ｂ′）ごとの欄には、それぞれ生誕年である和年号（ｃ）および西暦（ｄ）の双方が併記されている。満年齢（ｂ，ｂ′）を知ることによって、生誕年の和年号（ｃ）と西暦（ｄ）とを同時に知ることができる。あるいは、かかる和年号（ｃ）および西暦（ｄ）の少なくとも一方の生誕年から、満年齢（ｂ，ｂ′）の正否を確認することも可能である。
尚、図２に示すように、和年号（ｃ）のうち、年号の明治はＭ、大正はＴ、昭和はＳ、平成はＨと、それぞれ略した英大文字で表示されている。
【００２１】
以上のような第２の年齢早見表１′によっても、前記第１の年齢早見表１と同様に、対象となる本人あるいは他人の正確な満年齢（ｂ，ｂ′）を、容易且つ迅速に把握することが可能である。
尚、年齢早見表１′における十二支（ａ）は、当該年（今日現在）の平成２２年（西暦２０１０年）の干支（ａ）である寅（トラ）を、最右列の最上段の位置とし、最右列の最下段に位置する卯（ウサギ）から上側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置した形態としても良い。
【００２２】
本考案は、前記のような各形態に限定されるものではない。
例えば、年齢早見表１，１′の満年齢（ｂ，ｂ′）の欄には、かかる満年齢（ｂ，ｂ′）に対応する和年号（ｃ）または西暦（ｄ）の一方のみを併記しても良い。
また、年齢早見表１，１′における満年齢（ｂ，ｂ′）ごとの欄には、その年の十干（甲、乙、丙、丁、戊、巳、庚、辛、壬、癸）を更に併記しても良い。
更に、年齢早見表１，１′は、平坦な用紙などにプリントする形態のほか、プリントされた紙などを円筒形あるいは四角筒体とした形態としても良い。
【産業上の利用可能性】
【００２３】
本考案の年齢早見表によれば、例えば、年配者や他人の正確な満年齢を、簡易且つ迅速に把握することが可能となる。
【符号の説明】
【００２４】
１，１′…年齢早見表
ａ………干支
Ａ………図柄
ｂ，ｂ′…満年齢
ｃ………和年号
ｄ………西暦
【図１】
0003163230.tif 000003
【図２】
0003163230.tif 000004
【手続補正書】
【提出日】平成22年8月4日(2010.8.4)
【手続補正１】
【補正対象書類名】実用新案登録請求の範囲
【補正対象項目名】全文
【補正方法】変更
【補正の内容】
【実用新案登録請求の範囲】
【請求項１】
複数の行（横）および列（縦）からなり且つ全体が矩形を呈し、
最上行に沿って十二支（ａ）を順に配置し、
上記十二支（ａ）のうち、当該年の十二支（ａ）の下側には、０，１２，２４，３６，４８，…というようにｎ（０を含む整数）×１２の満年齢（ｂ）を１２年周期で列（縦）方向に沿って順に表示し、
上記当該年の十二支（ａ）を除く他の十二支（ａ）の下側には、当該年の十二支（ａ）に対して、生まれの早い年数を加算した満年齢(ｂ′)、あるいは生まれの遅い年数を減算した満年齢（ｂ′）をそれぞれの列（縦）方向に沿って順に表示すると共に、
上記各満年齢(ｂ，ｂ′)の欄には、和年号（ｃ）および西暦（ｄ）の少なくとも一方が併記されている、
ことを特徴とする年齢早見表（１）。
【請求項２】
複数の行（横）および列（縦）からなり且つ全体が矩形を呈し、
左端または右端の列（縦）に沿って十二支（ａ）を順に配置し、
上記十二支（ａ）のうち、当該年の十二支（ａ）の右側または左側には、０，１２，２４，３６，４８，…というようにｎ（０を含む整数）×１２の満年齢（ｂ）を１２年周期で行（横）方向に沿って順に表示し、
上記当該年の十二支（ａ）を除く他の十二支（ａ）の右側または左側には、当該年の十二支（ａ）に対して、生まれの早い年数を加算した満年齢(ｂ′)、あるいは生まれの遅い年数を減算した満年齢（ｂ′）をそれぞれの行（横）方向に沿って順に表示すると共に、
上記各満年齢(ｂ，ｂ′)の欄には、和年号（ｃ）および西暦（ｄ）の少なくとも一方が併記されている、
ことを特徴とする年齢早見表（１′）。
【請求項３】
前記十二支（ａ）の欄ごとには、当該十二支（ａ）を示す図柄（Ａ）が併記されている、
ことを特徴とする請求項１または２に記載の年齢早見表（１，１′）。
【手続補正２】
【補正対象書類名】明細書
【補正対象項目名】全文
【補正方法】変更
【補正の内容】
【考案の詳細な説明】
【技術分野】
【０００１】
本考案は、十二支（干支）から本人などの正確な満年齢を、容易且つ迅速に把握できる年齢早見表に関する。
【背景技術】
【０００２】
例えば、ある人の満年齢を把握するため、横（行）方向に沿って和年号（明治、大正、昭和、平成）欄、これに対応する西暦欄、および年齢計算基準数値欄を配置し、且つかかる和年号欄、西暦欄、および年齢計算基準数値（満年齢）欄を縦（列）方向に沿って順次配列すると共に、昭和６３年（西暦１９８８年）を０とし、１年遡るごとに１を加算した数値をそれぞれの年に併記し、平成の年次の年齢は、当該年に平成の年数を加算して算出する旨の文言を付記した年齢早見表が提案されている（例えば。特許文献１参照）。
【０００３】
しかしながら、前記年齢早見表の場合、生誕した年の和年号または西暦年が分からないと使用することができない。また、満年齢を把握したいと欲する際の当該年が昭和６３年の場合だけは、昭和以前に出生した人について、前記年齢計算基準数（満年齢）値を把握できるが、平成以降の年において使用する際には、その年と昭和６３年とのずれた年数を計算する必要が生じる。更に、生誕年が平成以降である人の場合、常に計算を強いられる、という問題点があった。
【先行技術文献】
【特許文献】
【０００４】
【特許文献１】実用新案登録第２５８６９５４号公報  (第１〜３頁、図１)
【考案の概要】
【考案が解決しようとする課題】
【０００５】
本考案は、背景技術において説明した問題点を解決し、対象となる人の今日現在（当該年）などにおける満年齢を正確且つ迅速に把握できる年齢早見表を提供する、ことを課題とする。
【課題を解決するための手段】
【０００６】
本考案は、前記課題を解決するため、十二支のうち、本人が属する十二支（干支）から今日現在（当該年）などにおける満年齢を一目で確認できるようにする、ことに着想して成されたものである。
即ち、本考案による第１の年齢早見表（１）（請求項１）は、複数の行（横）および列（縦）からなり且つ全体が矩形を呈し、最上行に沿って十二支（ａ）を順に配置し、前記十二支（ａ）のうち、当該年の十二支（ａ）の下側には、０，１２，２４，３６，４８，…というようにｎ（０を含む整数）×１２の満年齢（ｂ）を１２年周期で列（縦）方向に沿って順に表示し、上記当該年の十二支（ａ）を除く他の十二支（ａ）の下側には、当該年の十二支（ａ）に対して、生まれの早い年数を加算した満年齢(ｂ′)、あるいは生まれの遅い年数を減算した満年齢（ｂ′）をそれぞれの列（縦）方向に沿って順に表示すると共に、上記各満年齢（ｂ，ｂ′）の欄には、和年号（ｃ）および西暦（ｄ）の少なくとも一方が併記されている、ことを特徴とする。
【０００７】
また、本考案による第２の年齢早見表（１′）（請求項２）は、複数の行（横）および列（縦）からなり且つ全体が矩形を呈し、左端または右端の列（縦）に沿って十二支（ａ）を順に配置し、前記十二支（ａ）のうち、当該年の十二支（ａ）の右側または左側には、０，１２，２４，３６，４８，…というようにｎ（０を含む整数）×１２の満年齢（ｂ）を１２年周期で行（横）方向に沿って順に表示し、上記当該年の十二支（ａ）を除く他の十二支（ａ）の右側または左側には、当該年の十二支（ａ）に対して、生まれの早い年数を加算した満年齢(ｂ′)、あるいは生まれの遅い年数を減算した満年齢（ｂ′）をそれぞれの行（横）方向に沿って順に表示すると共に、上記各満年齢（ｂ，ｂ′）の欄には、和年号（ｃ）および西暦（ｄ）の少なくとも一方が併記されている、ことを特徴とする。
【０００８】
更に、本考案には、  前記十二支（ａ）の欄ごとには、当該十二支（ａ）を示す図柄（Ａ）が併記されている、年齢早見表（１，１′）（請求項３）も含まれる。
【考案の効果】
【０００９】
前記請求項１，２の年齢早見表（１，１′）によれば、年齢を知りたい本人または他人の十二支（干支）（ａ）を選択し、かかる十二支（ａ）の列（縦）方向または行（横）方向に沿って追跡し、且つその人のおおよその年代（１０代、２０代、…、６０代、７０代、８０代）を更に考慮することによって、煩わしい計算を行うことなく、今日現在の正確な満年齢（ｂ，ｂ′）を容易且つ迅速に把握することができる。
また、過去または将来の年次における年齢を知りたい場合には、前記十二支（ａ）および年代によって選択した年齢に対し、その年次と当該年との経過年数を加算あるいは減算するという簡単な計算ことによって、その年次における満年齢（ｂ，ｂ′）を正確且つ迅速に把握することが可能となる。
【００１０】
尚、前記年齢早見表における行は、横（水平）方向を指し、列は、縦（垂直）方向を指している。
また、前記年齢早見表における当該年は、今日現在の年である。そのため、前記第１および第２の年齢早見表は、毎年更新して作成することができる。
更に、前記年齢早見表における和年号は、明治、大正、昭和、平成の何れかの年号とｎ（整数）年数とからなる。
加えて、前記年齢早見表は、例えば、パーソナルコンピュータ（パソコン）の表計算ソフトあるいはワープソフトにおいて、前記複数の行列を形成する矩形の罫線からなる表と、かかる表内の各欄ごとに、前記干支、満年齢、和年号、西暦年とを発行する年次ごとに入力し、更に、次年度ごとに行（横）方向あるいは列（縦）方向に沿って、一欄ずつ移動させることにより、容易に製作できると共に、各年ごとの配列にしてプリントアウトすることができる。
【００１１】
また、前記請求項３の年齢早見表によれば、年齢を知りたい本人または他人の干支（ａ）を、干支ごとの図柄（キャラクター）によって、即座に選択できるので、更に前記年代を併慮することで、その人の満年齢（ｂ，ｂ′）を正確且つ迅速に把握することに寄与することができる。
尚、前記干支を示す図柄は、例えば、パソコンの表計算ソフトあるいはワープソフトなどに格納されている図形を使用しても良い。更に、上記図柄は、ある程度年配の人または若い世代ごとに馴染み易い図柄を選択するようにしても良い。
【図面の簡単な説明】
【００１２】
【図１】本考案による第１の年齢早見表を示す概略の平面図。
【図２】本考案による第２の年齢早見表を示す概略の平面図。
【考案を実施するための形態】
【００１３】
以下において、本考案を実施するための形態について説明する。
図１は、本考案による第１の年齢早見表１を示す概略の平面図である。
第１の年齢早見表１は、例えば、普通紙（ＰＰＣ用紙）や樹脂シートなどにプリントされたものであり、図１に示すように、横方向と縦方向とに沿った複数の行（横）と列（縦）とからなり、全体が平面視で長方形（矩形）を呈する表であり、最上行に沿って十二支（ａ）が横（行）方向に沿って順に配置されている。
上記十二支（ａ）のうち、当該年（今日現在）の平成２２年（西暦２０１０年）の十二支（干支）（ａ）である寅（トラ）は、最上行の左端に位置し、最上行の右端に位置する卯（ウサギ）から左側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置されている。各干支（ａ）の欄には、当該十二支（ａ）を示す図柄あるいはキャラクタ（Ａ）が併記されている。
【００１４】
図１に示すように、当該年の平成２２年（西暦２０１０年）の十二支（ａ）である寅（トラ）の下側には、０，１２，２４，４８，…というように、ｎ（０を含む整数）×１２の満年齢（ｂ）が列（縦）方向に沿って順に表示されている。
上記当該年の十二支（ａ）の寅（トラ）を除いた他の十二支（ａ）の下側には、最左端の寅（トラ）の満年齢（ｂ）に対して、年数差を加算または減算した数値の満年齢（ｂ′）が、それぞれの列（縦）方向に沿って表示されている。
例えば、十二支（ａ）が寅（トラ）よりも１年生まれが早い丑（ウシ）の場合、図１に示すように、その下側には、１，１３，２５，３７，４９，…というように、（ｎ（０を含む整数）×１２）＋１（加算）で示す満年齢（ｂ′）が、列（縦）方向に沿って１２年周期により表示される。一方、十二支（ａ）が寅（トラ）よりも１年生まれが遅い卯（ウサギ）の場合、図１に示すように、その下側には、１１，２３，３５，４７，５９，…というように、（ｎ×１２）−１（減算）で示す満年齢（ｂ′）が、列（縦）方向に沿って１２年周期により表示される。
【００１５】
前記丑（ウシ）や卯（ウサギ）以外の十二支（ａ）の場合も、当該年の十二支（ａ）の寅（トラ）の満年齢（ｂ）に対して、生まれの早い年数差を加算するか、あるいは、生まれの遅い年数差を減算することにより、それぞれ満年齢（ｂ′）が１２年周期により表示される。
更に、図１に示すように、多数の満年齢（ｂ，ｂ′）ごとの欄には、それぞれ生誕年である和年号（ｃ）および西暦年（ｄ）の双方が併記されている。満年齢（ｂ，ｂ′）を知ることによって、生誕年の和年号（ｃ）と西暦（ｄ）とを同時に知ることができる。あるいは、かかる和年号（ｃ）および西暦（ｄ）の少なくとも一方の生誕年から、満年齢（ｂ，ｂ′）の正否を確認することも可能である。
尚、図１の左上隅に示すように、和年号（ｃ）のうち、年号の明治はＭ、大正はＴ、昭和はＳ、平成はＨと、それぞれ略した英大文字で表示されている。
【００１６】
以上のように年齢早見表１によれば、年齢を知りたい本人または他人の十二支（ａ）を選択し、かかる十二支（ａ）の列（縦）方向または行（横）方向に沿って追跡し、且つその人のおおよその年代（１０代、…、７０代、８０代）を更に考慮することによって、煩わしい計算を行うことなく、今日現在の満年齢（ｂ，ｂ′）を正確且つ迅速に把握することができる。
例えば、医師が年配の被診察者に年齢を問う場合、その人の十二支（ａ）を聞き、且つ外見などからおおよその年代（６０代、７０代、８０代）を更に考慮することにより、その十二支（ａ）の列（縦）から、正確な満年齢（ｂ，ｂ′）を迅速に推定ないし把握できると共に、当該満年齢（ｂ，ｂ′）の欄に併記された和年号（ｃ）および西暦（ｄ）から、その満年齢（ｂ，ｂ′）の正否を本人に確認することができる。従って、被診察者と対話をしながら、煩わしい計算をせずに、正確な満年齢（ｂ，ｂ′）を容易且つ迅速に把握することができる。
【００１７】
あるいは、例えば、役所などの行政の窓口に年齢早見表１を置いた場合、訪れた人が書類に自己の満年齢（ｂ，ｂ′）を記入する際に、自己の十二支（ａ）の列（縦）から、迷うことなく正確な現在の満年齢（ｂ，ｂ′）を知ることができる。
更に、過去または将来の年次における年齢を知りたい場合には、前記干支（ａ）および年代によって選択した年齢に対し、その年次と当該年との経過年数を加算あるいは減算するという簡単な計算ことによって、その年次における満年齢（ｂ，ｂ′）を正確且つ迅速に把握することが可能となる。
例えば、ｎ年前の年次における満年齢（ｂ，ｂ′）を知りたい場合、自己の十二支（ａ）の列（縦）のうち、今日現在に最も近い満年齢（ｂ，ｂ′）を探し、その数値（ｂ，ｂ′）からｎ年を減算することで、当該年次における満年齢（ｂ，ｂ′）を正確且つ迅速に把握できる。これにより、過去における人の記録も正確に行える。
尚、年齢早見表１において、最上行の十二支（ａ）は、当該年（今日現在）の平成２２年（西暦２０１０年）の十二支（ａ）である寅（トラ）を、最上行の右端の位置とし、最上行の左端に位置する卯（ウサギ）から右側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置した形態としても良い。
【００１８】
図２は、本考案による第２の年齢早見表１′を示す概略の平面図である。
第２の年齢早見表１′は、前記同様のプリント紙などに印刷され、図２に示すように、横方向と縦方向とに沿って複数の行（横）および列（縦）からなり、全体が平面視で横長の長方形（矩形）を呈する表であり、最左列に沿って十二支（ａ）が縦（列）方向に沿って順に配置されている。
上記十二支（ａ）のうち、当該年（今日現在）の平成２２年（西暦２０１０年）の十二支（ａ）である寅（トラ）は、最左列の最上段に位置し、最左列の最下段に位置する卯（ウサギ）から上側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置されている。尚、各十二支（ａ）の欄には、当該干支（ａ）を示す前記同様の図柄（Ａ）を併記しても良い。
【００１９】
図２に示すように、当該年の平成２２年（西暦２０１０年）の十二支（ａ）である寅（トラ）の右側には、０，１２，２４，４８，…というように、ｎ（０を含む整数）×１２の満年齢（ｂ）が行（横）方向に沿って順に表示されている。
上記当該年の十二支（ａ）の寅（トラ）を除いた他の干支（ａ）ごとの右側には、最上段の寅（トラ）の満年齢（ｂ）に対して、年数差を加算または減算した数値の満年齢（ｂ′）が、行（横）方向に沿ってそれぞれ表示されている。
例えば、十二支（ａ）が寅（トラ）よりも１年生まれが早い丑（ウシ）の場合、図２に示すように、その右側には、１，１３，２５，３７，４９，…というように、（ｎ（０を含む整数）×１２）＋１（加算）で示す満年齢（ｂ′）が、行（横）方向に沿って１２年周期により表示される。一方、十二支（ａ）が寅（トラ）よりも１年生まれが遅い卯（ウサギ）の場合、図２に示すように、その右側には、１１，２３，３５，４７，５９，…というように、（ｎ×１２）−１（減算）で示す満年齢（ｂ′）が、行（横）方向に沿って１２年周期により表示される。
【００２０】
前記丑（ウシ）や卯（ウサギ）以外の十二支（ａ）の場合も、当該年の十二支（ａ）の寅（トラ）の満年齢（ｂ）に対して、生まれの早い年数を加算するか、あるいは、生まれ遅い年数を減算することにより、それぞれ満年齢（ｂ′）が１２年周期により表示される。
更に、図２に示すように、多数の満年齢（ｂ，ｂ′）ごとの欄には、それぞれ生誕年である和年号（ｃ）および西暦（ｄ）の双方が併記されている。満年齢（ｂ，ｂ′）を知ることによって、生誕年の和年号（ｃ）と西暦（ｄ）とを同時に知ることができる。あるいは、かかる和年号（ｃ）および西暦（ｄ）の少なくとも一方の生誕年から、満年齢（ｂ，ｂ′）の正否を確認することも可能である。
尚、図２に示すように、和年号（ｃ）のうち、年号の明治はＭ、大正はＴ、昭和はＳ、平成はＨと、それぞれ略した英大文字で表示されている。
【００２１】
以上のような第２の年齢早見表１′によっても、前記第１の年齢早見表１と同様に、対象となる本人あるいは他人の正確な満年齢（ｂ，ｂ′）を、容易且つ迅速に把握することが可能である。
尚、年齢早見表１′における十二支（ａ）は、当該年（今日現在）の平成２２年（西暦２０１０年）の十二支（ａ）である寅（トラ）を、最右列の最上段の位置とし、最右列の最下段に位置する卯（ウサギ）から上側に向かって、辰（タツ）、巳（ミ）、午（ウマ）、羊（ヒツジ）、申（サル）、酉（トリ）、戌（イヌ）、亥（イノシシ）、子（ネ）、丑（ウシ）の順に配置した形態としても良い。
【００２２】
本考案は、前記のような各形態に限定されるものではない。
例えば、年齢早見表１，１′の満年齢（ｂ，ｂ′）の欄には、かかる満年齢（ｂ，ｂ′）に対応する和年号（ｃ）または西暦（ｄ）の一方のみを併記しても良い。
また、年齢早見表１，１′における満年齢（ｂ，ｂ′）ごとの欄には、その年の十干（甲、乙、丙、丁、戊、巳、庚、辛、壬、癸）を更に併記しても良い。
更に、年齢早見表１，１′は、平坦な用紙などにプリントする形態のほか、プリントされた紙などを円筒形あるいは四角筒体とした形態としても良い。
【産業上の利用可能性】
【００２３】
本考案の年齢早見表によれば、例えば、年配者や他人の正確な満年齢を、簡易且つ迅速に把握することが可能となる。
【符号の説明】
【００２４】
１，１′…年齢早見表
ａ………十二支
Ａ………図柄
ｂ，ｂ′…満年齢
ｃ………和年号
ｄ………西暦